【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
円筒状の缶の胴部の缶軸方向上端側に、缶の口部側に向かうにつれて漸次縮径される肉厚０．１〜０．３ｍｍの肩部を形成する工程と、
前記肩部を内側から受けて凹部及び凸部の少なくとも１つを有する受け部を備えるとともに、前記受け部が前記肩部の形状に対応した縮径部を備えたインナーロールと、前記肩部を外側から押圧し前記インナーロールの受け部に対応する凹部及び凸部の少なくとも１つを備えたアウターロールとによって、前記肩部に立体形成部を形成する工程とを含み、
前記立体形成部を形成する工程において、前記インナーロールの受け部及び前記アウターロールが前記肩部を内外から挟み込んだ状態で、前記インナーロール及び前記アウターロールを前記缶に対して回転させる工程を含む
ことを特徴とする缶製造方法。
【請求項２】
前記缶の口部内径に対する肩部の最大外径の比が１．０５〜１．５８である
ことを特徴とする請求項１に記載の缶製造方法。
【請求項３】
前記受け部の外形は、前記肩部の形状に沿った傘状形状である
ことを特徴とする請求項１又は２に記載の缶製造方法。
【請求項４】
前記肩部を前記胴部側に延長した面と、前記胴部とのなす角は、１０°〜５０°である
ことを特徴とする請求項１〜３のいずれかに記載の缶製造方法。
【請求項５】
前記回転の加工の後、前記口部を縮径してネジ部を形成する
ことを特徴とする請求項１〜４のいずれかに記載の缶製造方法。
【請求項６】
前記インナーロールは、前記胴部を内側から押圧し、凹部及び凸部の少なくとも１つを有する胴部インナー押圧部を備え、
前記アウターロールは、前記胴部を外側から押圧し、前記インナーロールに対応する凹部及び凸部の少なくとも１つを有する胴部アウター押圧部を備え、
前記胴部インナー押圧部及び前記胴部アウター押圧部が前記胴部を内外から挟み込んだ状態で、前記インナーロール及び前記アウターロールを前記缶に対して回転することにより、前記胴部に凹部及び凸部の少なくとも１つを形成する
ことを特徴とする請求項１〜５のいずれかに記載の缶製造方法。
【請求項７】
前記アウターロールは、前記インナーロールの受け部に対応した縮径部を有し、
前記インナーロールと、前記アウターロールとは、異なる方向の回転軸を有し、前記肩部を内外から押圧した状態でかさ歯車状に回転する
ことを特徴とする請求項１〜６のいずれかに記載の缶製造方法。
【請求項８】
前記口部の内径は、２５〜６０ｍｍであり、
前記肩部の最大外径は、５０〜７０ｍｍである
ことを特徴とする請求項１〜７のいずれかに記載の缶製造方法。
【請求項９】
前記インナーロールの軸を前記受け部側に延長した面と、前記受け部とのなす角θは、１０°〜５０°である
ことを特徴とする請求項１〜８のいずれかに記載の缶製造方法。
【請求項１０】
前記インナーロールの軸の直径をＤとし、
前記口部の内径をＡとし、
前記受け部の長さをＷ２とし、
前記口部と前記インナーロールの軸とのクリアランスをＣとし、
前記インナーロールの軸を前記受け部側に延長した面と、前記受け部とのなす角をθとした場合に、
Ｄ≦Ａ−２×（Ｃ＋Ｗ２×ｓｉｎθ）を満たす
ことを特徴とする請求項１〜９のいずれかに記載の缶製造方法。
【請求項１１】
前記インナーロールの軸の直径をＤ（ｍｍ）とし、
前記口部の内径をＡ（ｍｍ）とし、
前記受け部の長さをＷ２（ｍｍ）とし、
前記口部と前記インナーロールの軸とのクリアランスをＣ（ｍｍ）とし、
前記インナーロールの軸を前記受け部側に延長した面と、前記受け部とのなす角をθとした場合に、
１２≦Ｄ≦Ａ−２×（Ｃ＋Ｗ２×ｓｉｎθ）、かつ、１≦Ｃを満たす
ことを特徴とする請求項１〜９のいずれかに記載の缶製造方法。
【請求項１２】
缶の肩部に立体成形部を形成する装置であって、
前記肩部を内側から受ける受け部を備えたインナーロールと、
前記肩部を外側から押圧するアウターロールと、
前記インナーロール及び前記アウターロールを前記缶に対して回転する回転部を備え、
前記肩部が、円筒状の缶の胴部の缶軸方向上端側に、缶の口部側に向かうにつれて漸次縮径され、かつ、肉厚０．１〜０．３ｍｍとなるように形成され、
前記インナーロールの受け部が、凹部及び凸部の少なくとも１つを有するとともに、前記肩部の形状に対応した縮径部を備え、
前記インナーロールの受け部及び前記アウターロールが前記肩部を内外から挟み込んだ状態で、前記インナーロール及び前記アウターロールが前記回転部によって回転する
ことを特徴とする缶の肩部に立体成形部を形成する装置。
【請求項１３】
円筒状の缶の胴部の缶軸方向上端側に、缶の口部側に向かうにつれて漸次縮径され、かつ、肉厚０．１〜０．３ｍｍとなるように形成された肩部に、凹部及び凸部の少なくとも１つを備え、
前記口部の内径は、２５〜６０ｍｍであり、
前記肩部の最大外径は、５０〜７０ｍｍである
ことを特徴とする缶。
【請求項１４】
円筒状の缶の胴部の缶軸方向上端側に、缶の口部側に向かうにつれて漸次縮径され、かつ、肉厚０．１〜０．３ｍｍとなるように形成された肩部に、凹部及び凸部の少なくとも１つを備え、
前記口部の内径に対する肩部の最大外径の比は、１．０５〜１．５８である
ことを特徴とする缶。
【請求項１５】
前記肩部を前記胴部側に延長した面と、前記胴部とのなす角は、１０°〜５０°である
ことを特徴とする請求項１３又は１４に記載の缶。
【請求項１６】
前記口部の内径をＡ（ｍｍ）とし、
前記肩部の最大外径をＢ（ｍｍ）とし、
前記肩部の全長をＷ１（ｍｍ）とし、
前記肩部のうち口部側根元からＷ２（ｍｍ）までの範囲内に、前記凹部及び前記凸部の少なくとも１つが設けられているとした場合に、
１２≦Ａ−（Ｂ−Ａ）×Ｗ２／Ｗ１を満たす
ことを特徴とする請求項１３〜１５のいずれかに記載の缶。
【請求項１７】
Ｗ２／Ｗ１≦０．５を満たすこと、
ことを特徴とする請求項１６に記載の缶。
【請求項１８】
Ｗ２／Ｗ１≦１を満たすこと、
ことを特徴とする請求項１６に記載の缶。
【請求項１９】
缶の肩部に立体成形部を形成する工具セットであって、
円筒状の缶の胴部の缶軸方向上端側に、缶の口部側に向かうにつれて漸次縮径され、かつ、肉厚０．１〜０．３ｍｍとなるように形成された前記肩部に立体成形部を形成するインナーロールとアウターロールとを備え、
前記インナーロールが、前記肩部を内側から受けて凹部及び凸部の少なくとも１つを有する受け部を備えるとともに、前記受け部が前記肩部の形状に対応した縮径部を備え、
前記アウターロールが、前記肩部を外側から押圧し前記インナーロールの受け部に対応する凹部及び凸部の少なくとも１つを備え、
前記インナーロールの受け部及び前記アウターロールは、前記肩部を内外から挟み込んだ状態で、前記缶に対して回転される
ことを特徴とする缶製造工具セット。
【手続補正２】
【補正対象書類名】明細書
【補正対象項目名】発明の名称
【補正方法】変更
【補正の内容】
【発明の名称】缶製造方法、缶の肩部に立体成形部を形成する装置、缶、缶製造工具セット
【手続補正３】
【補正対象書類名】明細書
【補正対象項目名】０００１
【補正方法】変更
【補正の内容】
【０００１】
本発明は、肩部に加飾された缶、缶製造方法、缶の肩部に立体成形部を形成する装置、缶製造工具セットに関する。
【手続補正４】
【補正対象書類名】明細書
【補正対象項目名】０００６
【補正方法】変更
【補正の内容】
【０００６】
本発明に係る缶製造方法は、円筒状の缶の胴部の缶軸方向上端側に、缶の口部側に向かうにつれて漸次縮径される肉厚０．１〜０．３ｍｍの肩部を形成する工程と、前記肩部を内側から受けて凹部及び凸部の少なくとも１つを有する受け部を備えるとともに、前記受け部が前記肩部の形状に対応した縮径部を備えたインナーロールと、前記肩部を外側から押圧し前記インナーロールの受け部に対応する凹部及び凸部の少なくとも１つを備えたアウターロールとによって、前記肩部に立体形成部を形成する工程とを含み、前記立体形成部を形成する工程において、前記インナーロールの受け部及び前記アウターロールが前記肩部を内外から挟み込んだ状態で、前記インナーロール及び前記アウターロールを前記缶に対して回転させる工程を含むことを特徴とする方法としてある。
【手続補正５】
【補正対象書類名】明細書
【補正対象項目名】０００７
【補正方法】変更
【補正の内容】
【０００７】
また、本発明に係る缶は、円筒状の缶の胴部の缶軸方向上端側に、缶の口部側に向かうにつれて漸次縮径され、かつ、肉厚０．１〜０．３ｍｍとなるように形成された肩部に、凹部及び凸部の少なくとも１つを備え、前記口部の内径は、２５〜６０ｍｍであり、前記肩部の最大外径は、５０〜７０ｍｍであることを特徴とする構成としてある。
【手続補正６】
【補正対象書類名】明細書
【補正対象項目名】０００８
【補正方法】変更
【補正の内容】
【０００８】
また、本発明に係る缶は、円筒状の缶の胴部の缶軸方向上端側に、缶の口部側に向かうにつれて漸次縮径され、かつ、肉厚０．１〜０．３ｍｍとなるように形成された肩部に、凹部及び凸部の少なくとも１つを備え、前記口部の内径に対する肩部の最大外径の比は、１．０５〜１．５８であることを特徴とする構成としてある。
【手続補正７】
【補正対象書類名】明細書
【補正対象項目名】０００９
【補正方法】変更
【補正の内容】
【０００９】
また、本発明に係る缶製造工具セットは、缶の肩部に立体成形部を形成する工具セットであって、円筒状の缶の胴部の缶軸方向上端側に、缶の口部側に向かうにつれて漸次縮径され、かつ、肉厚０．１〜０．３ｍｍとなるように形成された前記肩部に立体成形部を形成するインナーロールとアウターロールとを備え、前記インナーロールが、前記肩部を内側から受けて凹部及び凸部の少なくとも１つを有する受け部を備えるとともに、前記受け部が前記肩部の形状に対応した縮径部を備え、前記アウターロールが、前記肩部を外側から押圧し前記インナーロールの受け部に対応する凹部及び凸部の少なくとも１つを備え、前記インナーロールの受け部及び前記アウターロールは、前記肩部を内外から挟み込んだ状態で、前記缶に対して回転されることを特徴とする構成としてある。